(57)【要約】【課題】粉塵等の影響なくフックのスムーズな出し入れ操作を維持する。【解決手段】ハウジング２の内部に、ファン１４の回転によって発生するモータ３の冷却用空気の一部を傾斜孔１２，１２に導く通気凹部１３及び通気路１６を形成して、冷却用空気を通気凹部１３及び通気路１６から傾斜孔１２，１２を介してハウジング２の外部へ排出させるようにした。【選択図】図２
2010046739.tif 000002
【特許請求の範囲】
【請求項１】
ハウジング内に、モータと、そのモータ冷却用のファンとを設ける一方、前記ハウジングに、フックを出し入れ可能に収納する収納部を設けてなる電動工具であって、
前記ハウジングの内部に、前記ファンの回転によって発生する前記モータの冷却用空気の少なくとも一部を前記収納部に導く案内路を形成して、前記冷却用空気を前記案内路から前記収納部を介して前記ハウジングの外部へ排出させることを特徴とする電動工具。
【請求項２】
前記収納部を前記ハウジングの上端内部に設けて、前記フックを前記ハウジングの側面から出し入れ可能に収納したことを特徴とする請求項１に記載の電動工具。
【発明の詳細な説明】
【技術分野】
【０００１】
本発明は、スクリュードライバ等の電動工具に関する。
【背景技術】
【０００２】
スクリュードライバ等の電動工具においては、モータを内設したハウジングの前端に工具を装着する一方、ハウジングの後端にハンドルを下向きに形成した倒Ｌ字状となるタイプがある。
このような電動工具においては、作業者が携帯できるようにフックを設けたものが知られている。このフックは、特許文献１に示すように、本体のハウジング上面に設けられた収納部に、収納位置と引き出し位置とに装着位置を変更可能に設けられて、必要時にのみ収納部から引き出して使用可能となっている。
【０００３】
【特許文献１】特許第３６７６６０９号公報
【発明の開示】
【発明が解決しようとする課題】
【０００４】
しかし、上記特許文献１では、作業によって生じた粉塵等がフックの収納部に侵入すると、フックの動きが悪くなって出し入れがしにくくなるおそれがあった。
【０００５】
そこで、本発明は、粉塵等の影響なくフックのスムーズな出し入れ操作が維持でき、使い勝手に優れる電動工具を提供することを目的としたものである。
【課題を解決するための手段】
【０００６】
上記目的を達成するために、請求項１に記載の発明は、ハウジングの内部に、ファンの回転によって発生するモータの冷却用空気の少なくとも一部を収納部に導く案内路を形成して、冷却用空気を案内路から収納部を介してハウジングの外部へ排出させることを特徴とするものである。
請求項２に記載の発明は、請求項１の構成において、収納部への粉塵等の侵入をより効果的に防止するために、収納部をハウジングの上端内部に設けて、フックをハウジングの側面から出し入れ可能に収納したことを特徴とするものである。
【発明の効果】
【０００７】
請求項１に記載の発明によれば、粉塵等の影響なくフックの出し入れが好適に行え、使い勝手に優れる。
請求項２に記載の発明によれば、請求項１の効果に加えて、冷却用空気がハウジングの側面から排出されることとなり、収納部への粉塵等の侵入がより効果的に防止される。
【発明を実施するための最良の形態】
【０００８】
以下、本発明の実施の形態を図面に基づいて説明する。
図１は、電動工具の一例であるスクリュードライバの斜視図、図２はその縦断面図で、スクリュードライバ１は、モータ３及び回転駆動部４を内蔵した筒状のハウジング２の軸線方向の前方（図２の左側）に、ドライバビット等の工具を着脱可能なチャック部５を備えた構成で、ハウジング２の後端には、ハンドル６が下向きに連設されて、全体が倒Ｌ字状となっている。ハンドル６には、トリガー８の押し込み操作によってモータ３を駆動させるスイッチ７が内設されている。
【０００９】
ハウジング２の上面には、図３，４に示すように、前方へ行くに従って左右幅が徐々に先細りとなる三角形状の凹部９が凹設され、ハウジング２に装着された蓋板１０によって凹部９の上方が閉塞されている。凹部９の中央には、前方へ行くに従って徐々に先細りとなるＶ字状のリブ１１が突設されて、凹部９の左右の内側面とリブ１１との間に、蓋板１０による上方の閉塞状態で、左右の中心側から後方へ行くに従ってハウジング２の側面へ近づき、後端が側面に開口する一対の傾斜孔（収納部）１２，１２を形成している。
【００１０】
この傾斜孔１２の前端は、凹部９の前方でハウジング２の上面に凹設された通気凹部１３に連通している。通気凹部１３は、図５にも示すように、モータ３の出力軸３ａに設けたモータ冷却用のファン１４の収容室１５と、ハウジング２に設けた通気路１６を介して連通しており、ファン１４の回転に伴って放射状に排出される冷却用空気は、ハウジング２の側面に形成された排気孔３１，３１・・から外部へ排出される一方、通気路１６及び通気凹部１３を介して各傾斜孔１２，１２を通過し、傾斜孔１２の後端開口からも外部へ排出可能となっている。この通気凹部１３及び通気路１６が本発明の案内路となる。
【００１１】
そして、各傾斜孔１２にはフック１７が夫々設けられている。このフック１７は、Ｖ字状に折曲された細幅の金属製帯板で、拡開側を前方に向けた水平姿勢で、内側の基端部１８を傾斜孔１２に挿入することで、外側の係止部１９がハウジング２の側面と平行となる状態で、傾斜孔１２に沿って平行移動可能となっている。また、基端部１８の端部寄りには、幅方向の厚みを大きくする肉厚部２０が一体に形成され、傾斜孔１２における後方外側の内面には、肉厚部２０の端部が係止する段部２１が形成されている。よって、フック１７は、基端部１８の先端が通気凹部１３内に突出して傾斜孔１２内に収まり、係止部１９がハウジング２の側面に沿って当接する収納位置と、傾斜孔１２に沿って後方へスライドした肉厚部２０が段部２１に当接する突出位置との間でスライド可能となる。この突出位置で係止部１９は、ハウジング２の側面から離れて収納位置よりも外側後方に位置することになる。
【００１２】
一方、リブ１１の内側には、ロック機構２２が設けられている。このロック機構２２は、リブ１１の左右の中間部位に形成された切欠き２３，２３内に収容され、基端部１８との係合方向へ出没可能に設けられた押圧体としてのボール２４，２４と、そのボール２４，２４の間で前後にスライド可能で、ハウジング２の外部からスライド操作可能なロックボタン２５と、そのロックボタン２５を前方へ付勢する付勢手段としてのコイルバネ２６と、を備えている。また、ここではボール２４，２４とロックボタン２５との間に、両端部外側にボール２４，２４を位置させて折り返した中央がリブ１１内側のピン２７に係止されるＶ字状の板バネ２８を設けて、ボール２４，２４のリブ１１の内側への没入を規制している。
【００１３】
よって、常態では、コイルバネ２６によって前方へ付勢されるロックボタン２５は押圧位置にあり、その先細り状の前方部分が板バネ２８の両端を左右への拡開方向へ付勢して、ボール２４，２４を切欠き２３から突出する基端部１８側へ押圧することになる。押圧されるボール２４は、基端部１８のスライド位置によって肉厚部２０の前後端の何れかに夫々係合可能となる。また、ロックボタン２５の上面には、蓋板１０に設けられた窓２９を介して外部へ露出するツマミ３０が設けられて、ツマミ３０を利用してロックボタン２５を後方の解除位置へスライド操作可能としている。この解除位置でボール２４，２４は、切欠き２３に没入して肉厚部２０との係合位置から退避可能となる。
【００１４】
以上の如く構成されたスクリュードライバ１においては、フック１７，１７の収納位置では、図３，４に示すように、係止部１９が夫々ハウジング２の側面に当接し、基端部１８が傾斜孔１２内にあって先端を通気凹部１３内に突出させている。この状態で、ロックボタン２５によって押圧されるボール２４，２４は、肉厚部２０，２０の内側後端に係合する係合位置にあって、フック１７，１７の後方へのスライドを規制している。
【００１５】
ここから、ロックボタン２５をツマミ３０を介して後方へスライドさせると、図６に示すように、ボール２４，２４への押圧が解除されるため、左右のフック１７，１７（図６では右側のみ）を係止部１９を把持して後方へスライドさせることができる。このときボール２４は、板バネ２８の端部を撓ませながらリブ１１の内側へ没入し、肉厚部２０の端部を乗り越えて肉厚部２０の内側側面を相対的に転動することになる。
そして、フック１７が突出位置に達すると、図７に示すように、肉厚部２０の外側後端が段部２１に当接する。ここでロックボタン２５のツマミ３０から手を離すと、ロックボタン２５がコイルバネ２６の付勢によって前方へスライドし、板バネ２８を介して再びボール２４をリブ１１から突出させる。よって、ボール２４は肉厚部２０の内側前端に係合する係合位置にあって、フック１７の前方へのスライドを規制することになる。
【００１６】
よって、突出させたフック１７の係止部１９を腰のベルト等に掛止すれば、スクリュードライバ１を吊り下げ携帯することができる。このとき、スクリュードライバ１は側面のフック１７の係止によって横向きに吊り下げられるため、ハンドル６が後ろ向きになって外側に飛び出すことがなく、作業の邪魔になりにくい。また、フック１７が突出位置ではハウジング２の後方に位置することで、フック１７に対するスクリュードライバ１の重心位置が低くなり、吊り下げ時の安定性も高くなって携帯時に揺動しにくくなる。
【００１７】
一方、スクリュードライバ１によるねじ締め等の作業の際には、ファン１４の回転によって生じた冷却用空気の一部が、図２に矢印で示すように通気路１６を通って通気凹部１３に至り、さらに傾斜孔１２，１２を介してハウジング２の外部へ排出される。よって、ハウジング２の外部から傾斜孔１２を介して粉塵等が侵入しにくくなると共に、たとえ粉塵等が侵入しても当該冷却用空気によって迅速に排出され、粉塵等によってフック１７の出し入れに支障が生じることがなくなる。
【００１８】
このように、上記形態のスクリュードライバ１によれば、ハウジング２の内部に、ファン１４の回転によって発生するモータ３の冷却用空気の一部を傾斜孔１２，１２に導く通気凹部１３及び通気路１６を形成して、冷却用空気を通気凹部１３及び通気路１６から傾斜孔１２，１２を介してハウジング２の外部へ排出させることで、粉塵等の影響なくフック１７のスムーズな出し入れ操作が維持でき、使い勝手に優れる。
特にここでは、傾斜孔１２をハウジング２の上端内部に設けて、フック１７をハウジング２の側面から出し入れ可能に収納しているので、冷却用空気が傾斜孔１２を介してハウジング２の側面から排出されることとなり、傾斜孔１２への粉塵等の侵入がより効果的に防止される。
【００１９】
なお、上記形態では、ハウジングの左右の側面に夫々フックを設けているが、何れか一方の側面のみに設けることも可能である。勿論フックはハウジングの側面から出し入れする上記形態に限らず、ハウジングの上面に設けた収納部から上下に出し入れする形態であっても差し支えない。また、フック自体の構造も、棒状やＬ字状等の他の形態が採用可能である。
さらに、上記形態では、モータの冷却用空気の一部を案内路を介してフックの収納部へ導くようにしているが、排気孔をなくして冷却用空気の全てを案内路からフックの収納部へ導くようにすることもできる。
【００２０】
その他、上記形態ではスクリュードライバにフックを設けた例で説明しているが、電動工具としてはスクリュードライバに限らず、ドリルやインパクトレンチ等の他の携帯用の電動工具にも本発明は採用可能である。
【図面の簡単な説明】
【００２１】
【図１】スクリュードライバの斜視図である。
【図２】スクリュードライバの縦断面図である。
【図３】蓋板を取り外したハウジング上部の斜視図である。
【図４】蓋板を取り外したハウジング上部の平面図である。
【図５】Ａ−Ａ線断面図である。
【図６】フックの引き出し状態を示すハウジング上部の平面図である。
【図７】フックを突出させた状態を示すハウジング上部の平面図である。
【符号の説明】
【００２２】
１・・スクリュードライバ、２・・ハウジング、３・・モータ、６・・ハンドル、９・・凹部、１０・・蓋板、１２・・傾斜孔、１３・・通気凹部、１４・・ファン、１５・・収容室、１６・・通気路、１７・・フック、１８・・基端部、１９・・係止部、２０・・肉厚部、２１・・段部、２２・・ロック機構、２４・・ボール、２５・・ロックボタン、２６・・コイルバネ、２８・・板バネ、３０・・ツマミ。
【図１】
2010046739.tif 000003
【図２】
2010046739.tif 000004
【図３】
2010046739.tif 000005
【図４】
2010046739.tif 000006
【図５】
2010046739.tif 000007
【図６】
2010046739.tif 000008
【図７】
2010046739.tif 000009